(57)【特許請求の範囲】
【請求項１】
−ローラー（５）と、
−第１の脱進歯（２２）を備える第１の可動脱進部（２）、および第２の脱進歯（３２）を備える第２の可動脱進部（３）と、
−前記第１の可動脱進部と前記第２の可動脱進部を機械的に結合する手段と、
−第１および第２のアンクル石（４２、４３）を保持するアンクル（４）とを備え、
前記第１の可動脱進部が、第１のガンギ車（２８）と第１のカップリングホイール（２９）とを備え、前記第２の可動脱進部が、第２のガンギ車（３８）と第２のカップリングホイール（３９）とを備え、
前記機械的に結合する手段は、前記第１のカップリングホイール（２９）と前記第２のカップリングホイール（３９）との結合によって形成され、
前記ローラーが、前記第１の脱進歯と協働する第３の衝突アンクル石（５２）と、前記第２の脱進歯と協働する第４の衝突アンクル石（５３）を備える脱進機（１）。
【請求項２】
前記第１のカップリングホイールが第３の歯（２１）を備え、前記第２のカップリングホイールが第４の歯（３１）を備え、前記第３の歯が前記第４の歯と噛み合う、請求項１に記載の脱進機。
【請求項３】
前記アンクルが、第１のアンクル石（４２）、具体的には前記第１の脱進歯と協働する第１の係止アンクル石と、第２のアンクル石（４３）、具体的には前記第２の脱進歯と協働する第２の係止アンクル石とを備える、請求項１又は２に記載の脱進機。
【請求項４】
前記第２の可動脱進部が、機械的結合手段（３８、３９）のみを介して香箱などのエネルギー蓄積装置と結合されるように設計される、請求項１から３のいずれか一項に記載の脱進機。
【請求項５】
前記アンクルが、前記ローラーの振り石（５５）と協働するフォーク（４５）を備える、請求項１から４のいずれか一項に記載の脱進機。
【請求項６】
前記ローラーがダブルローラー式であり、前記アンクルが、前記ローラーの小ローラー（５４）と協働する保護ピン（４６）を備える、請求項１から５のいずれか一項に記載の脱進機。
【請求項７】
請求項１から６のいずれか一項に記載される脱進機（１）を備える、時計。
【請求項８】
第１の香箱と第２の香箱を備えるエネルギー蓄積装置を備え、前記第１および第２の香箱が平行に設置される、請求項７に記載の時計。
【請求項９】
前記時計は、腕時計である、請求項７又は８に記載の時計。
【請求項１０】
前記腕時計は、クロノメータである、請求項９に記載の時計。
【発明の詳細な説明】
【技術分野】
【０００１】
本発明は、時計の脱進機構に関する。また本発明は、このような脱進機構を備える時計に関する。
【背景技術】
【０００２】
時計では、脱進機を使用して調速部材の振動を維持し、調速部材の振動をカウントする。よってその動作は時計の精度の点から重要である。
【０００３】
腕時計を製造しようとする際、とりわけクロノメータの腕時計を製造しようとする際、脱進機が調速部材の振動をできるだけ一定になるように維持し、脱進機ができるだけ調速部材に干渉しないように特に注意を払い配慮して製造することが不可欠である。
【０００４】
さらにこの精度と安定性の目的を達成するだけでなく信頼性と効率の目的を達成するには、脱進機の構造は可能限り簡素でなければならないことも明らかである。
【０００５】
特許文献１には、２つのガンギ車、２つの駆動輪列および２つの香箱を備えており、各々のガンギ車が香箱に接続された駆動輪列によって駆動される脱進機が開示されている。このようなシステムは構造が複雑であり、調整するのが極めて難しい。このようなシステムでは正確で極めて効率のよい脱進機を製造することはできない。
【先行技術文献】
【特許文献】
【０００６】
【特許文献１】欧州特許第１９８３３８９号
【発明の概要】
【発明が解決しようとする課題】
【０００７】
さらに本発明の目的は、上記の欠点を改善し、従来技術の既知の脱進機を改善する脱進機を提供することである。詳細には本発明は、簡素で正確な脱進機、すなわちこれに結合された調速部材と可能な限り干渉しない脱進機を提案する。
【課題を解決するための手段】
【０００８】
このために脱進機は、
−ローラーと、
−第１の脱進歯を備える第１の可動脱進部、および第２の脱進歯を備える第２の可動脱進部と、
−第１の可動脱進部と第２の可動脱進部を機械的に結合する手段と、
−アンクル石を保持するアンクル（またはレバー）とを備える。
【０００９】
ローラーは、第１の脱進歯と協働する第３のアンクル石、具体的には第３の衝突アンクル石と、第２の脱進歯と協働する第４のアンクル石、具体的には第４の衝突アンクル石を備えることができる。
【００１０】
第１の可動脱進部は、第１のガンギ車と第１のカップリングホイールを備えることができ、第２の可動脱進部は、第２のガンギ車と第２のカップリングホイールを備えることができる。
【００１１】
第１のカップリングホイールは第３の歯を備えることができ、第２のカップリングホイールは第４の歯を備えることができ、第３の歯は第４の歯と噛み合う。
【００１２】
アンクルは、第１のアンクル石、具体的には第１の脱進歯と協働する第１の係止アンクル石と、第２のアンクル石、具体的には第２の脱進歯と協働する第２の係止アンクル石とを備える。
【００１３】
第２の可動脱進部は、機械的な結合手段のみを介して例えば主ぜんまいを含む香箱などのエネルギー蓄積装置と結合されるように設計することができる。
【００１４】
アンクルは、ローラーの振り石と協働するフォークを備えることができる。
【００１５】
ローラーは、ダブルローラー式であってよく、アンクルはローラーの小ローラーと協働する保護ピンを備えることができる。
【００１６】
時計、とりわけ腕時計、具体的にはクロノメータは、上記に定義した脱進機を備える。
【００１７】
時計は、第１の主ぜんまいを含む第１の香箱と、第２の主ぜんまいを含む第２の香箱とを備えるエネルギー蓄積装置を備えることができ、第１および第２の香箱は平行に設置される。
【００１８】
添付の図面は、本発明による脱進機の一実施形態の一例を示している。
【図面の簡単な説明】
【００１９】
【図１】本発明による脱進機の一実施形態の前面図である。
【図２】脱進機の実施形態の前面図であり、その動作を示すために異なる構成で示されている図である。
【図３】脱進機の実施形態の前面図であり、その動作を示すために異なる構成で示されている図である。
【図４】脱進機の実施形態の前面図であり、その動作を示すために異なる構成で示されている図である。
【図５】本発明による脱進機の実施形態の側面図である。
【図６】本発明による脱進機の実施形態のダブルローラーの詳細の前面図である。
【発明を実施するための形態】
【００２０】
本発明による脱進機構１の一実施形態を、図１から図６を参照して以下に開示する。該脱進機構（以後脱進機として知られる）は、時計、とりわけ腕時計、具体的にはクロノメータに設けられるように設計されている。例えば脱進機は、第１香箱と第２香箱を含むエネルギー蓄積装置を備えており、第１香箱と第２香箱が平行に設置されている時計に設けることができる。２つの香箱の歯は、時計の駆動輪列の同一の二番車とそれぞれ噛み合うことが可能である。
【００２１】
詳細には脱進機１は、
−ローラー５と、
−第１の可動脱進部２および第２の可動脱進部３と、
−第１の可動脱進部と第２の可動脱進部を機械的に結合する手段２９、３９と、
−アンクル石４２、４３を保持するアンクル４（またはレバー）とを備える。
【００２２】
有利には第１の可動脱進部は、第１のガンギ車２８と第１のカップリングホイール２９を備える。第１のガンギ車は、アンクル石と協働するように設計された脱進歯２２を備える。好ましくは第１のガンギ車と第１のカップリングホイールは、同一の心棒２７上に同軸に設置される。心棒の軸に応じて、第１のガンギ車と第１のカップリングホイールを互いから一定の距離のところに容易に設置することができ、詳細には該２つの歯車に対して中間の面内にアンクル４を収容するように設置することができる。より具体的には、心棒２７は、第１の可動脱進部が十分正確に誘導されるように特定の長さでなければならない。第１の可動脱進部はまた、駆動輪列によって伝達されるエネルギーを受け取るように設計された直接的な機械接続部を有する。該直接的な機械接続部は、例えば第２の可動部の歯車と噛み合うように設計された脱進ピニオン２６である。第１のガンギ車は、第１のカップリングホイールの場合のように心棒に固定されて設置される。第１のガンギ車、第１のカップリングホイールおよび脱進ピニオンは、いずれの場合も回転式に固定される。例えば第１のガンギ車、第１のカップリングホイールおよび脱進ピニオンは、心棒にある溝を利用して設置することができる。さらに第１のガンギ車と第１のカップリングホイールは、互いに対して所定の位置に一定の距離ずつ進められる。
【００２３】
有利には第２の可動脱進部は、第２のガンギ車３８と第２のカップリングホイール３９を備える。第２のガンギ車は、アンクル石と協働するように設計された脱進歯３２を備える。好ましくは第２のガンギ車と第２のカップリングホイールは、同一の心棒３７上に同軸に設置される。したがって第２の脱進部の構造は、第１の脱進部の構造と全く同じであり、違いは、第２の可動脱進部が駆動輪列との直接的な機械接続部を持たないことである。脱進機が正確に動作するために、第１のガンギ車と第２のガンギ車は互いに対して一定の距離ずつ進められる。
【００２４】
第１および第２の可動脱進部は、別々の軸の周りに可動式に設置され、詳細には平行であり別個の軸の周りに可動式に設置される。
【００２５】
第２の可動脱進部は、単に第１の可動脱進部および機械的結合手段３８、３９を介して香箱などのエネルギー蓄積装置に結合されるように設計される。
【００２６】
この実施形態における機械的結合手段は、第１の可動脱進部の第１のカップリングホイールと第２の可動脱進部の第２のカップリングホイールを備える。
【００２７】
有利には第１および第２のガンギ車は限られた数の歯、例えば４から８個の歯を備えており、具体的には６個の歯をそれぞれ備える。好ましくは脱進機が正確に動作するために、第１のガンギ車と第２のガンギ車は、π／ｎの一定の角度にずらすことによって互いに対して所定の位置に一定の距離ずつ進められ、この場合ｎは、各々のガンギ車の歯の数に等しい。
【００２８】
互いに噛み合う２つの歯車によって具体化された２つの可動脱進部の機械的な結合により、２つの可動脱進部は反対方向に回転する。回転方向は図２から図４の矢印によって表されている。
【００２９】
アンクルは、心棒４７上に設置される。該アンクルは、軸４１の周りに関節状に連結される。アンクルは、基本的にバー４４の一端において、第１アーム上に第１ガンギ車の歯２２と協働する第１係止アンクル石４２、および第２アーム上に第２ガンギ車の歯３２と協働する第２係止アンクル石４３を保持する。アンクルはまた、バーの異なる端部にフォーク４５と保護ピン４６を備える。フォークは、ローラーの振り石５５と協働するように設計される。保護ピンは、小ローラー５４、およびこの小ローラーに形成されたノッチ５６と協働するように設計される。
【００３０】
ローラーは心棒５７上に設置される。該ローラーは、軸５８の周りに関節状に連結される。ローラー５はダブルローラー式である。よってこれは大ローラー５１と小ローラー５４を備える。小ローラーは大ローラーに回転式に固定される。振り石５５が、大ローラーの中に配置され、フォーク４５と協働するように設計される。さらに第１ガンギ車の歯２２と協働する第３の衝突アンクル石５２が設置されており、具体的には大ローラーに取り付けられている。同様に第２ガンギ車の歯３２と協働する第４の衝突アンクル石５３が設置されており、具体的には大ローラーに取り付けられている。上記に見られるように小ローラー５４とそのノッチ５６は、アンクルの保護ピン４６と協働する。ローラーは、時計の調速部材に機械的に結合されるように設計される。例えばローラーは、調速部材に対して回転するという点で固定されて接続され、具体的にはてん輪とひげぜんまいシステムのてん輪に対して回転するように固定式に接続される。
【００３１】
好ましくはローラーがその周りに関節状に連結される軸５８および／またはアンクルがその周りに関節状に連結される軸４１は、第１および第２の可動脱進部の回転軸２３、３３に対して中心となる面内に含まれる。
【００３２】
例えばてん輪とひげぜんまいシステムなどの調速部材が完全に１回振動する際の脱進動作を、図２から図４を参照して以下に記載する。
【００３３】
図２の構成では、第１の可動脱進部２が、図２において２２で表される脱進歯と衝突アンクル石５２を介してローラー５に直前に衝撃を与えたことが想定される。このため第１の可動脱進部は、矢印１０１によって示される方向にたった今回転し、第２の可動脱進部は、矢印１０２によって示される方向にたった今回転する。振り石５５を介してローラー５によって駆動されたアンクルは、反時計回りの方向にたった今枢動され、係止アンクル石４３を、図２の３２で表される第２の可動脱進部の脱進歯と干渉する位置に動かす。よって２つの可動脱進部は停止位置になり、第２の可動脱進部はそれが係止アンクル石４３と接触する停止位置にあり、第１の可動脱進部は、それが第２の可動脱進部に対して回転するように接続または結合される停止位置にある。図２の構成ではローラーは、正に受け取ったばかりの衝撃を調速部材、具体的には調速部材のてん輪に伝達する。これによりてん輪に固定されたローラーは、矢印１０３によって示される方向にその角度付きの軌道を描き続けることで、さらに上昇する弧を経由し、その後矢印１０４によって示される方向に進み、図２の構成に戻るまでさらに下降する弧を経由して進む。
【００３４】
この構成では、振り石は、アンクルのフォークと協働する所定の位置まで戻り、図３の構成に到達するまで該アンクルを時計回りの方向に回転させる。この構成では、脱進歯は係止アンクル石と干渉しない。よって２つの可動脱進部は、矢印１０１および１０２に示される方向に同時に回転する。可動脱進部のこのような回転は、図３に３２で表される第２の可動脱進部の歯が衝突アンクル石５３に当たるまで継続する。このように接触することにより、第２の可動脱進部３が３２で表される脱進歯および衝突アンクル石５３を介してローラー５に衝撃を与える。これにより第２の可動脱進部は、矢印１０２で示される方向に回転し続け、よって第１の可動脱進部は矢印１０１で示される方向に回転し続ける。振り石５５を介してローラー５によって駆動されたアンクルは、時計回りの方向に枢動し、係止アンクル石４２を、図３および図４において２２で表される第１の可動脱進部の歯と干渉する所定の位置に動かす。
【００３５】
図４に示される構成では、これにより２つの可動脱進部は停止位置にあり、第１の可動脱進部は、それが係止アンクル石４２と接触する停止位置にあり、第２の可動脱進部は、それが第１の可動脱進部と回転するという観点で接続される停止位置にある。図４の構成ではローラーは、受け取ったばかりの衝撃を調速部材、具体的には調速部材のてん輪に伝達する。これによりてん輪に固定されたローラーは、矢印１０４によって示される方向にその角度付きの軌道を描き続けることで、さらに上昇する弧を経由し、その後矢印１０３によって示される方向に進み、図４の構成に戻るまでさらに下降する弧を経由して進む。
【００３６】
この構成では、振り石は、アンクルのフォークと協働する位置まで戻り、図３と同様の構成に到達するまで該アンクルを反時計回りの方向に回転させるが、この構成は、２つの可動脱進部がπ／ｎラジアンだけ回転することだけが図３の構成とは異なり、この場合ｎは各可動脱進部の脱進歯の数である。この構成では、脱進歯は係止アンクル石と干渉しない。よって２つの可動脱進部は矢印１０１および１０２に示される方向に同時に回転する。可動脱進部のこのような回転は、第１の可動脱進部の歯が衝突アンクル石５２と接触するまで継続する。このように接触することにより、第１の可動脱進部２が脱進歯および衝撃アンクル石５２を介してローラー５に衝撃を与える。これにより第１の可動脱進部は、矢印１０１で示される方向に回転し続け、よって第２の可動脱進部は矢印１０２で示される方向に回転し続ける。振り石５５を介してローラー５によって駆動されたアンクルは、反時計回りの方向に枢動し、係止アンクル石４３を、第２の可動脱進部の歯と干渉する位置に動かす。そして再び図２の構成になる。
【００３７】
上記に記載したように、脱進機は独立式であり、すなわちてん輪は、ローラーの振り石がアンクルのフォークから離れてから次の円弧を通過することが可能である。
【００３８】
本発明による脱進機の構造は極めて簡素であることに注目すべきである。同様に各々の構成部品、具体的にはアンクルもまた極めて簡素である。また脱進機の構造は対称であり、唯一非対称の要素は可動脱進部の一方にしかない脱進ピニオンと、２つのガンギ車のπ／ｎの角度のずれであることに注目すべきである。
【００３９】
上記に言及した簡素な構造により、高度の信頼性と高い精度の動作を実現することが可能になる。
【００４０】
この簡単な構造は脱進の効率にも寄与する。より具達的には上記に開示した脱進機では、エネルギーがアンクルを経由して進む従来のスイスアンクル脱進機と比べて、エネルギー蓄積装置からのエネルギーは直接ガンギ車からローラーに伝達されて調速部材に伝達される。したがって脱進機はデテント脱進機タイプである。このような独自性によって効率を上げることが可能になる。上記に記載した脱進機では、振り石とフォークの機能は、アンクルの位置に限定される。
【００４１】
さらに各々のガンギ車は、１回振動する間に一回の衝撃を調速部材に伝達することに注目すべきである。第１のガンギ車は、振動の最初の反復の間に調速部材に衝撃を伝達し、第２のガンギ車は、振動の２回目の反復の間に調速部材に衝撃を伝達する。反復する毎にガンギ車からローラーにこのように直接エネルギーが伝達されることにより、精度を上げることが可能になる。調速部材は、それが対称な位置に配置されたときに衝撃を受け取る。
【００４２】
また脱進機によって、主ぜんまいが巻かれる際に自動的に運動を開始することが可能になることに注目すべきである。より具体的には、調速部材の静止位置に相当する図３の構成では、係止アンクル石はいずれもそれがガンギ車の歯と干渉する構成にはないことが分かる。その結果主ぜんまいが巻かれる際、可動脱進部が自然に回転し、最初の衝撃を調速部材に伝達し、運動を開始することが可能になる。
【００４３】
上記に記載した脱進機では、図６に見られるように衝突アンクル石５２と５３の平面の間に形成される角度βは、例えば５５°から６６°の間で変動してよい。係止アンクル石が干渉位置から離れるときのガンギ車の戻る角度は、０．５°であってよい。アンクルが枢動する振幅（２ｘα）は、１４°であってよい。
【００４４】
有利にはガンギ車、または可動脱進部のさらに別の要素は、例えば金などの高比重の材料から製作することができる。
【００４５】
本発明による脱進機は、注油する必要がない。
【符号の説明】
【００４６】
１  脱進機
２  第１の可動脱進部
３  第２の可動脱進部
４  アンクル
５  ローラー
２１  第３の歯
２２  第１の脱進歯
２３、３３  回転軸
２６  脱進ピニオン
２７、３７  心棒
２８  第１のガンギ車
２９  第１のカップリングホイール
３１  第４の歯
３２  第２の脱進歯
３８  第２のガンギ車
３９  第２のカップリングホイール
４１  アンクルの軸
４２  第１の係止アンクル石
４３  第２の係止アンクル石
４４  バー
４５  フォーク
４６  保護ピン
４７  心棒
５１  大ローラー
５２  第３の衝突アンクル石
５３  第４の衝突アンクル石
５４  小ローラー
５５  振り石
５６  ノッチ
５７  心棒
５８  ローラーの軸
１０１  第１の可動脱進部の回転方向
１０２  第２の可動脱進部の回転方向
１０３、１０４  ローラーの回転方向
【図１】
0005972586.tif 000002
【図２】
0005972586.tif 000003
【図３】
0005972586.tif 000004
【図４】
0005972586.tif 000005
【図５】
0005972586.tif 000006
【図６】
0005972586.tif 000007